(57)【要約】      （修正有）【課題】芳香液体を保存・補充する機能を有する芳香拡散装置の構造を提供する。【解決手段】台座、電子コントロールユニット、スピーカー、ファン、液体容器、超音波振動器、進水ユニット、導気管、外カバー及び積載台を含む積載台の上部に振動スペースを形成し、下部は蓋体とする。導気ルートは振動スペース及び蓋体と連通し、ファンで発生する気体の移動ルートとなる。出気ルートは振動スペース及び外部と連通し、ミストが振動スペースから外部に移動するルートとなる。進水ユニットは振動スペース及び液体容器の間に設置する。導気管は振動スペースと液体容器を連通し、連通状態及び密閉状態に変更することにより、芳香液体の補充を安全に達することができる。【選択図】図４
0003155273.tif 000002
【実用新案登録請求の範囲】
【請求項１】
台座、電子コントロールユニット、ファン、積載台、液体容器、超音波振動器、進水ユニット、導気管、外カバーを含み、
電子コントロールユニットを台座に設置し、
ファンを台座に設置し、電子コントロールユニットと電気接続し、
積載台の内部に仕切り板を設け、積載台を上下に分け、下部を蓋体とし、上部を振動スペースとし、仕切り板の中央に穴を具有し、積載台内部は導気ルートを結合し、該導気ルートは振動スペース及び該蓋体と連通することで、ファンが生じる気体を送るルートを形成し、
液体容器を積載台に設置し、該液体容器は順に上から下に貯水ボックス、接続台と接続し、該液体容器の内部は貯水スペースを具有し、該貯水ボックスの内部に出気ルートを設け、該出気ルートは該振動スペースと外部を連通し、ミストが振動スペースから外部に出るルートを提供し、
超音波振動器は積載台の穴に設置し、電子コントロールユニットと電気接続し、
進水ユニットは該液体容器の下方に結合し、貯水スペース内の液体を振動スペースに導引し、
導気管は該貯水スペースと振動スペースを連通し、
外カバーは該液体容器の外を覆い、該台座の上を抵触し、該外カバーは外カバー開口を具有し、該出気ルートと外部を連通することを特徴とする芳香拡散装置の構造。
【請求項２】
本考案は更にスピーカーを含み、該台座に設置し、電子コントロールユニットと電気接続し、
該電子コントロールユニットはコントロール基板、電源差込及び音源差込を具有し、
該電源差込及び音源差込は共に該台座に設置し、該コントロール基板と電気接続し、音源シグナルをスピーカーよりアウトプットすることを特徴とする請求項１記載の芳香拡散装置の構造。
【請求項３】
前記外カバー或いは積載台或いは貯水ボックスは透明或いは光透過性のある材質をセレクトすることを特徴とする請求項１記載の芳香拡散装置の構造。
【請求項４】
前記接続台は中央より仕切られて上下槽の構造を呈し、上部に接続管、下部に注水口を凸設し、該注水口は各種芳香液体を注ぎ、貯蔵補充及び、液体補充出口の接続端とし、該接続管は該出気ルートと接続することを特徴とする請求項１記載の芳香拡散装置の構造。
【請求項５】
前記超音波振動器の上方に水位感知部品及び少なくとも一つの発光体を具有することを特徴とする請求項１記載の芳香拡散装置の構造。
【請求項６】
前記進水ユニットは第一定置付け部品、第二定置付け部品、スプリング及び球体を含み、
第一定置付け部品は該液体容器の下端にある接続台の注水口と螺合し、
第二定置付け部品は第一定置付け部品の下方に結合し、第一定置付け部品の内部にある接続箇所にストッパーを形成し、該第二定置付け部品の接続箇所内部に穴を形成し、該スプリングの一端は該ストッパーに抵触し、別端は球体と抵触し、該球体は該穴の上に設置し、
該振動スペースの底部に更に凸部を設置し、前記進水ユニットの第二定置付け部品の穴に挿入し、上にある球体を押し上げることで、該貯水スペースが振動スペースと連通することを特徴とする請求項１記載の芳香拡散装置の構造。
【考案の詳細な説明】
【技術分野】
【０００１】
本考案は芳香拡散装置の構造に関し、特に分解しやすく、安全且つ芳香液体を補充することができ、ミスト化効率がよく、視覚及び聴覚効果を兼ね備える芳香拡散装置の構造に関する。
【背景技術】
【０００２】
従来技術の芳香拡散装置或いはアロマオイルミスト装置は、超音波の振動器を使って、液体に高周波の振動伝導波を生じさせることで、液体の分子同士が無数のマイクロな真空気泡を作り出しては破裂する。分裂後の水滴自体がプラス電気を帯び、且つ周りの空気がマイナス電気を帯びるためにイオンが生まれ、いわゆる「滝の効果」或いは「レナード効果」と呼ばれている。
【０００３】
従来技術の芳香拡散器は霧状の気体が開口上方のみに漂うだけであり、直接液体がミスト状気体に転換するビジュアル効果を見ることができない。  
【０００４】
従来技術の芳香拡散器は全てネジで螺合する方法で組み合わせるため、分解しにくい。充填するアロマオイル及び水分は振動器でミスト化した後、汚れが内部部品に粘着しやすく、掃除する必要がある。ユーザーにとって、分解しにくいということは、掃除する困難さを同時に増やすことになる。
【０００５】
更に従来技術の芳香拡散器の開口は直径が小さくなる形状を呈すため、ミストが開口口まで上昇するとき、通る口径が縮小することで、凝結して水滴を結成する状況が発生するため、ミスト化した気体の拡散効果が悪くなる。
【０００６】
従来技術の芳香拡散器は単一の収納室にアロマオイル及び水分を設置するため、液体を補充する機能及び貯蔵スペースがないため、超音波振動器は単一の収納室内で大量のアロマオイル及び水分を同時に振動させなければならず、振動、ミスト化効果が悪い。
【０００７】
従来技術の加熱タイプ或いは電子タイプの薫香器、或いは超音波振動ミスト装置は、内部にアロマオイルを充填するため、傾倒時にアロマオイルが漏れて危険である。以上の欠点を鑑みて、更なる改善する必要があった。
【先行技術文献】
【特許文献】
【０００８】
【特許文献１】登録実用新案第３１３２３２２号公報
【考案の概要】
【考案が解決しようとする課題】
【０００９】
前記従来技術の欠点を解決するため、本考案の第１の目的は、芳香液体を保存補充する機能を具有する芳香拡散装置の構造を提供することにある。
本考案の第２の目的は、傾倒時進水ユニットの構造を介し、アロマオイルが引き続き外漏れするのを阻止し、危険を回避する芳香拡散装置の構造を提供することにある。
本考案の第３の目的は、内部のミスト化状態及び、サウンドを作り出すことで、視覚及び聴覚効果を具有する芳香拡散装置の構造を提供することにある。
本考案の第４の目的は、ミスト化の効率をアップする芳香拡散装置の構造を提供することにある。
【課題を解決するための手段】
【００１０】
上述の目的を解決するために、本考案は芳香拡散器の構造を提供する。台座、電子コントロールユニット、ファン、液体容器、超音波振動器、進水ユニット、導気管及び外カバー、積載台を含む。該積載台の上部は振動スペース、下部は蓋体である。導気ルート及び出気ルートを具有し、該導気ルートは該振動スペースと蓋体を連通することで、ファンが生じる気体を送るルートとなる。該出気ルートは振動スペースと外部を連通することで、ミストを振動スペースから外部に移動するルートとなる。該進水ユニットは該液体容器の下方に接続する。該導気管は該振動スペースと液体容器を連通し、連通状態及び密閉状態に変換するため、該液体容器にある液体を振動スペースに流す、或いは流さないのかを、該進水ユニットをコントロールする。本考案では芳香液体の補充及び安全に使用することができ、ミスト化及び聴覚、視覚、ライト効果をアップする。
【００１１】
該超音波振動器は該液体容器の底部に設置し、電子コントロールユニットと電気接続することで、振動スペース内にある液体を振動してミスト化する。該外カバーは液体容器の外部を覆い、該台座の上に抵触して設置する。該外カバーは透視或いは光を透過する材質であり、開口を具有し、該開口は該出気ルートと外部を連通する。
外カバー及び液体容器或いは積載台の最良実施例としては、光を透過する、或いは透視できる材質を用いるものである。本考案での透視の定義は、完全透視或いは半透視或いは部分透視を指し、光の透過も完全透過或いは半透過或いは部分透過とする。該外カバー或いは液体容器或いは積載台は光を透過する陶磁や、プラスティック、ガラス、アクリル、すりガラス、或いは複数の穴を具有する材質を用いる。
【００１２】
すなわち、本考案は下記の特徴を有する。
（１）台座、電子コントロールユニット、ファン、積載台、液体容器、超音波振動器、進水ユニット、導気管、外カバーを含み、
電子コントロールユニットを台座に設置し、
ファンを台座に設置し、電子コントロールユニットと電気接続し、
積載台の内部に仕切り板を設け、積載台を上下に分け、下部を蓋体とし、上部を振動スペースとし、仕切り板の中央に穴を具有し、積載台内部は導気ルートを結合し、該導気ルートは振動スペース及び該蓋体と連通することで、ファンが生じる気体を送るルートを形成し、
液体容器を積載台に設置し、該液体容器は順に上から下に貯水ボックス、接続台と接続し、該液体容器の内部は貯水スペースを具有し、該貯水ボックスの内部に出気ルートを設け、該出気ルートは該振動スペースと外部を連通し、ミストが振動スペースから外部に出るルートを提供し、
超音波振動器は積載台の穴に設置し、電子コントロールユニットと電気接続し、
進水ユニットは該液体容器の下方に結合し、貯水スペース内の液体を振動スペースに導引し、
導気管は該貯水スペースと振動スペースを連通し、
外カバーは該液体容器の外を覆い、該台座の上を抵触し、該外カバーは外カバー開口を具有し、該出気ルートと外部を連通することを特徴とする芳香拡散装置の構造。
（２）本考案は更にスピーカーを含み、該台座に設置し、電子コントロールユニットと電気接続し、
該電子コントロールユニットはコントロール基板、電源差込及び音源差込を具有し、
該電源差込及び音源差込は共に該台座に設置し、該コントロール基板と電気接続し、音源シグナルをスピーカーよりアウトプットすることを特徴とする（１）記載の芳香拡散装置の構造。
（３）前記外カバー或いは積載台或いは貯水ボックスは透明或いは光透過性のある材質をセレクトすることを特徴とする請求項１記載の芳香拡散装置の構造。
（４）前記接続台は中央より仕切られて上下槽の構造を呈し、上部に接続管、下部に注水口を凸設し、該注水口は各種芳香液体を注ぎ、貯蔵補充及び、液体補充出口の接続端とし、該接続管は該出気ルートと接続することを特徴とする（１）記載の芳香拡散装置の構造。
（５）前記超音波振動器の上方に水位感知部品及び少なくとも一つの発光体を具有することを特徴とする（１）記載の芳香拡散装置の構造。
（６）前記進水ユニットは第一定置付け部品、第二定置付け部品、スプリング及び球体を含み、
第一定置付け部品は該液体容器の下端にある接続台の注水口と螺合し、
第二定置付け部品は第一定置付け部品の下方に結合し、第一定置付け部品の内部にある接続箇所にストッパーを形成し、該第二定置付け部品の接続箇所内部に穴を形成し、該スプリングの一端は該ストッパーに抵触し、別端は球体と抵触し、該球体は該穴の上に設置し、
該振動スペースの底部に更に凸部を設置し、前記進水ユニットの第二定置付け部品の穴に挿入し、上にある球体を押し上げることで、該貯水スペースが振動スペースと連通することを特徴とする（１）記載の芳香拡散装置の構造。
【考案の効果】
【００１３】
本考案の芳香拡散器は、分解しやすく、安全且つ芳香液体を補充することができ、ミスト化の効率がよく、視覚及び聴覚効果も備えている。
【図面の簡単な説明】
【００１４】
【図１】本考案の外観図である。
【図２Ａ】本考案の上半部の分解図である。
【図２Ｂ】本考案の下半部の分解図である。
【図３】図２Bの積載台の透視図である。
【図４】本考案実施例の断面図である。
【図５】本考案実施例の別方向の断面図である。
【図６】本考案の立体断面図である。
【００１５】
本考案による芳香拡散器の構造を明確に示すために図に沿って詳細な説明を行う。
【実施例】
【００１６】
図１、図２A、図２B、図３に示すのは本考案の最良実施例である芳香拡散器１００であり、それに含まれるのは台座１０、電子コントロールユニット２０、ファン４０、積載台３０、液体容器５０、超音波振動器６０、進水ユニット７０、導気管８０、外カバー９０である。
【００１７】
台座１０、電子コントロールユニット２０は台座１０に設置する。ファン４０は台座１０に設置し、該電子コントロールユニット２０と電気接続する。積載台３０は中に仕切り板３１を具有し、それにより積載台３０を上下に分け、下部は蓋体３２とし、上部は振動スペース３４となる。仕切り板３１の中央に穴３６を具有し、積載台３０内部に上下端が開放口である柱状の導気ルート５６を結合し、該導気ルート５６は振動スペース３４と該蓋体３２と連通し、ファンより生じる気体を輸送するルートとなる。液体容器５０は該積載台３０に設置し、順に上から貯水ボックス５１、接続台５２を接続する。該液体容器５０の内部に貯水スペース５３を具有し、該貯水ボックス５１の内部に出気ルート５７を設け、該出気ルート５７は該振動スペース３４及び外部と連通することで、ミストが振動スペース３４より外部に拡散する。超音波振動器６０を積載台３０の穴３６に設置し、電子コントロールユニット２０と電気接続することで、振動スペース３４内にある液体を振動してミスト化することができる。進水ユニット７０は該液体容器５０の下方と結合し、連通状態から密閉状態に変換することで、貯水スペース５３内の液体を振動スペース３４に流す。導気管８０は該液体容器５０及び該振動スペース３４を貫通する形状で設置し、該貯水スペース５３と振動スペース３４を連通する。外カバー９０を該液体容器５０の外を覆い、台座１０の上を抵触して設置する。該外カバー９０に開口９１を具有し、出気ルート５７と外部と連通する。
【００１８】
図４に示すように、液体容器５０は進水ユニット７０を使って、何度も芳香液体を振動スペース３４に補充することができる。該超音波振動器６０の振動により芳香気体にミスト化し、ファン４０によって生じる気体が導気ルート５６を通って振動スペース３４内に送りこむことで、ミスト化した芳香気体が出気ルート５７より外部に漂い出す。外カバー９０は本実施例では細長い矩形の外カバーの開口９１を具有し、該貯水ボックス５１の上端にある開口５４も細長い矩形の形を呈すため、ミスト化した芳香気体は当該細長い矩形の開口より、幔幕のような形状を成して漂いだす。
【００１９】
該台座１０は更に底板１１及び設置板１３を含む。該底板１１の底面に穴１１１を含み、該設置板１３はファンの設置エリア１３１及びスピーカー設置エリア１３２を具有し、ファン４０は穴１１１より外部の空気を吸引し、穴よりスピーカーの音源を流す。
【００２０】
図４、図５、図６に示すように、該電子コントロールユニット２０は更にコントロール板２１、電源差込２２、音源差込２３を含む。該コントロール基板２１と該電源差込２２はともに台座１０の設置板１３に設基置し、該電源差込２２の設置位置は電源差込口３２１と対応し、電源コード(図に未掲載)と接続して電源をコントロール基板２１に送る。該音源差込２３は該音源差込口３２２と対応して台座１０の設置板１３に設置し、該コントロール基板２１と電気接続し、音源シグナルを接続することで、音楽或いは音声シグナルをコントロール基盤２１に伝える。
【００２１】
積載台３０の該蓋体３２に電源差込口３２１及び音源差込口３２２を設け、該設置板１３を該底板１１に設置し、その回りを蓋体３２が囲む。積載台３０内部に導気ルート５６を具有し、該導気ルート５６の上方に出気部品５８を結合し、ミストの出る方向及び拡散する方向を調整できる出気口５８１を具有する(図５を参照)。
【００２２】
該ファン４０を該台座１０のファン設置エリア１３１に設置し、電子コントロールユニット２０のコントロール基板２１と電気接続することで、該コントロール基板２１が外部のコントロールを受け、該ファン４０の回転或いは停止を駆動する。
【００２３】
該液体容器５０の出気ルート５７と貯水スペース５３は完全に隔離し、該接続台５２は中間で上下槽に分けている構造である。上部は接続管５２１を凸設し、下部に比較的低い位置に下向きに注水口５２２を凸設することで、液体が完全に低い場所に流出することができる。該接続台５２の注水口５２２よりアロマオイルや水分など各種の芳香液体を注ぎ、該液体容器５０の貯水スペース５３に貯蔵補充し、及び液体補充出口として、液体補充出口の接続端とする。該接続管５２１と該出気ルート５７は接続する。
【００２４】
図２A、図２B、図４及び図５、図６に示すように、該超音波振動器６０は、毎秒数万回から数百万回の周波数を発生する高周波振動器である。該超音波振動器６０を積載台３０仕切り板３１の穴３６に設置し、該コントロール基板２１と電気接続する。該超音波振動器６０の上方に水位感知部品６１及び少なくとも一つの発光体６２を具有し、該水位感知部品６１及び発光体６２は該振動スペース３４の中に位置し、該発光体６２から光線を発し、該振動スペース３４、貯水ボックス５１、外カバー９０にあるミスト或いは液体を照射透過する。該超音波振動器６０内部は更に回路開閉機能(図に未掲載)を具有し、該水位感知部品６１のシグナルで超音波振動器６０及び/或いは発光体６２のオンオフをコントロールする。該超音波振動器６０は更に防水リング６３を穴３６の周りに設置することで、振動スペース３４内にある液体が穴３６から漏れるのを防止する。
【００２５】
該進水ユニット７０は第一定置付け部品７１、第二定置付け部品７２、スプリング７３及び球体７４を含む。該第一定置付け部品７１を本実施例では該液体容器５０の下端にある接続台５２の注水口５２２と螺合し、第二定置付け部品７２は第一定置付け部品７１の下方に結合することで、第一定置付け部品７１と第二定置付け部品７２の間に振動スペース３４と貯水スペース５３が連通する進水ルートを形成する。該進水ルートは第一定置付け部品７１と接続する部分に中空のストッパー７１１を形成し、第二定置付け部品７２と接続する部分に穴７２１を形成する。該スプリング７３は該進水ルートの中に位置し、一端は該ストッパー７１１に抵触し、別端は球体７４と抵触する。該球体７４は本考案ではスチールボールとし、該穴７２１の上に覆って位置することで、貯水スペース５３の液体が注水口５２２より滲み出るのを防止する。
【００２６】
前記振動スペース３４の底部に凸部３４１を設け、前記進水ユニット７０の第二定置付け部品７２の穴７２１に挿入して球体７４を押し上げると、該貯水スペース５３と振動スペース３４を連通状態に形成し、貯水スペース５３内にある液体を振動スペース３４に流入する。逆に該凸部３４１を球体から離すと、球体が穴７２１を塞ぐことにより進水ユニット７０が密閉状態となり、貯水スペース５３内の液体が流出しなくなる。
【００２７】
前記導気管８０は上開口８０１及び下開口８０２を含み、防水リング８１により液体容器５０の貯水スペース５３及び振動スペース３４の内部に固定設置する。該導気管８０の上開口８０１は該貯水スペース５３の内部と連通し、該開口８０１は液体の高さより高くする。該下開口８０２は該振動スペース３４内部にある一定の液体高さの位置と連通する。前記により、注水口５２２は該進水ユニット７０と螺合し、振動スペース３４の凸部３４１は前記進水ユニット７０にある第二定置付け部品７２の穴７２１に挿入して上にある球体７４を押すことで、貯水スペース５３と振動スペース３４が連通した状態を形成し、両スペース５３、３４の内部圧力が同じとなるため、サイフォンの原理を使って芳香液体を貯水スペース５３より順に注水口５２２、進水ユニット７０を通って該振動スペース３４に流入する。芳香液体が予定の高さに達し、該導気管８０の下開口８０２の高さより液体が高くなると、貯水スペース５３の連通状態の一端は閉じられるため、芳香液体はそれ以上該振動スペース３４に注がれることがない。逆に芳香液体が超音波振動器６０の振動を受けてミスト化して昇華することで水位が低くなると、下開口８０２が開き、振動スペース３４と貯水スペース５３は導気管８０が連通することで圧力が解除され、更に該貯水スペース５３内の芳香液体はサイフォンの原理で再び振動スペース３４に流入する。このように上記の動作を繰り返して液体を補充するため、従来技術の芳香拡散器は芳香液体を補充できない欠点を解決する。
【００２８】
更に本考案では注水口５２２は同時に該進水ユニット７０を結合し、芳香液体などの芳香液体を補充する。本考案では使用中に傾倒する場合、導気管８０の両端の如何なる一端が液体で閉じ、及び或いは傾倒することで液体容器５０が結合する進水ユニット７０が再び引力を受けず、及びサイフォンの原理が崩れるため、該液体容器５０内部のアロマオイル或いは芳香液体が漏れにくくなるため、本考案の使用上の安全性を高める。
【００２９】
本考案は液体容器５０にて芳香液体を貯蔵するため、比較的小さい貯水容積の振動スペース３４で芳香液体を充填する。該振動スペース３４は貯水スペース５３よりかなり小さくなっているため、同じ仕事率の超音波振動器６０の高周波の振動の下では、比較的小さい容積スペースにある少量の液体を振動して水分子をミスト化するため、効果が高く且つ迅速となる。従来技術の該振動スペース３４は少なくとも該貯水スペース５３より小さく、単一の大容積の貯水スペース５３のミスト化の効果より良くなる。
【００３０】
図１に示すように、該外カバー９０は該液体容器５０の外を覆い、直接底板１１の上を抵触する。外カバー９０の頂上に矩形型の開口９１を形成し、サイドに二つの穴９２、９３を形成し、それぞれ該電源差込口３２１及び音源差込口３２２と連通する。
【００３１】
図２B及び図４、図５に示すように、該スピーカー１５を台座１０のスピーカー設置エリア１３２に設置し、電子コントロールユニット２０のコントロール基板２１と電気接続する。該コントロール基板２１は該音源差込２３より音源シグナルを受信し、スピーカー１５より音声や音楽を発することで聴覚効果が産まれる。
【００３２】
図２B、図３、図４に示すように、上述実施例の中で述べた積載台３０の仕切り板３１は更に複数の接続穴３５及び複数の中空柱体３３を含む。該超音波振動器６０の周辺は更に当該接続穴３５と対応する複数の穴６４を具有し、ネジ(図に未掲載)により該接続穴３５及び穴６４を螺合し、該超音波振動器６０を前記積載台３０に結合する。前記底板１１は複数穴１１２を含み、ネジ(図に未掲載)によりこれらの穴１１２を中空柱体３３と螺合し、積載台３０を底板１１に結合する。
【００３３】
上述は本考案の芳香拡散器１００の各部品及びその組成方法の紹介であった。引き続き本考案の使用特徴を述べる：
【００３４】
図１〜図６に示すように、ユーザーが液体(アロマオイル及び水分)を該接続台５２の注水口５２２よりアロマオイルや水分など各種の芳香液体を注ぎ、該液体容器５０の貯水スペース５３で貯蔵補充する時、該凸部３４１は該球体７４を押し上げることで、穴８０２が開いて連通状態となる。そうすることで該貯水スペース５３内にある液体が振動スペース３４に流入するため、ユーザーは該振動器６０の振動をコントロールすることができる。振動スペース３４内の液体がミスト化し、同時に該ファン４０も運転を開始する。底板１１の外側にある気体を吸入し、該導気ルート５６、出気口５８１を通って振動スペース３４の中に送り込み、振動スペース３４にあるミストは出気ルート５７、開口５４、外カバー開口９１を通って外部空間に漂う。
【００３５】
外カバー９０の外カバー開口９１及び開口５４は長い矩形の外広がり型であるため、ミストの拡散を加速することができ、ミスト微粒子が再度合併してぶつかり合うことで液体に戻り、振動スペースに戻る状況を避ける。
【００３６】
更に本考案は音源差込２３を具有し、様々な音楽プレイヤーを外付けしてスピーカー１５で流すことができ、ミストが漂う中で聴覚の饗宴を堪能することもできる。
【００３７】
超音波振動器６０は水位感知部品６１を具有し、振動スペース３４の液体水位が設定値より低くなると、超音波振動器６０は回転を停止するため、超音波振動器６０がダメージを受けるのを防止する。
【００３８】
該超音波振動器６０は少なくとも一つの発光体６２を具有し、該発光体６２はLEDライトにすることができ、既定の色彩光線を変化して投射することができる。外カバー９０、液体容器５０、積載台３０は透明或いは光を透過する透視可能状態を呈すため、ユーザーは直接ミスト或いは光彩を見ることができ、緩やかに多様に変化するビジュアル効果を堪能する。
【００３９】
本考案の組み立て及び分解は極めて簡単であり、清掃する際の分解プロセスを減らす。
【００４０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４１】
１００  芳香拡散装置
１０  台座
１１  底板
１１１  穴
１１２  穴
１３  設置板
１３１  ファン設置エリア
１３２  スピーカー設置エリア
１５  スピーカー
２０  電子コントロールユニット
２１  コントロール基板
２２  電源差込
２３  音源差込
３０  積載台
３１  仕切り板
３２  蓋体
３２１  電源差込口
３２２  音源差込口
３３  中空柱体
３４  振動スペース
３４１  凸部
３５  接続穴
４０  ファン
５０  液体容器
５１  貯水ボックス
５２  接続台
５２１  接続管
５２２  注水口
５３  貯水スペース
５４  開口
５６  導気ルート
５７  出気ルート
５８  出気部品
５８１  出気口
６０  超音波振動器
６１  水位感知部品
６２  発光体
６３  防水リング
６４  穴
７０  進水ユニット
７１  第一定置付け部品
７１１  ストッパー
７２  第二定置付け部品
７２１  穴
７３  スプリング
７４  球体
８０  導気管
８１  防水リング
８０１  上開口
８０２  下開口
９０  外カバー
９１  外カバー開口
９２、９３  穴
【図１】
0003155273.tif 000003
【図２Ａ】
0003155273.tif 000004
【図２Ｂ】
0003155273.tif 000005
【図３】
0003155273.tif 000006
【図４】
0003155273.tif 000007
【図５】
0003155273.tif 000008
【図６】
0003155273.tif 000009